(57)【要約】【課題】記録媒体の搬送精度を向上できる供給装置および画像形成装置を提供する。【解決手段】供給装置は、供給部と、斜行補正部と、案内部９０とを備えている。斜行補正部は、供給部に対して記録媒体の搬送方向の下流側に設けられている。供給部は、記録媒体を搬送する供給ローラーを含んでいる。斜行補正部は、ゲート部を含んでいる。ゲート部は、供給ローラーの軸方向に延びる回転軸を中心に回転可能であり、記録媒体の、搬送方向の下流側の端部が突き当てられて記録媒体の斜行を補正する。案内部は、供給ローラーとゲート部とが取り付けられている。案内部９０は、案内部９０の一部分として、供給ローラーを保持する第一軸受け部９１と、ゲート部を保持する第二軸受け部９２と、案内部９０に対する供給カセットの配置を定めるカセット位置決め部９３とを含んでいる。【選択図】図３
2019099364.tif 000002
【特許請求の範囲】
【請求項１】
供給カセットに収容されている記録媒体を搬送する供給部と、
前記供給部に対して前記記録媒体の搬送方向の下流側に設けられている斜行補正部と、を備え、
前記供給部は、前記記録媒体を搬送する供給ローラーを含み、
前記斜行補正部は、前記供給ローラーの軸方向に延びる回転軸を中心に回転可能であり、前記記録媒体の、前記搬送方向の下流側の端部が突き当てられて前記記録媒体の斜行を補正するゲート部と、を含み、
前記供給ローラーと前記回転軸とが取り付けられている案内部を備え、
前記案内部は、前記案内部の一部分として、前記供給ローラーを保持する第一軸受け部と、前記回転軸を保持する第二軸受け部と、前記案内部に対する前記供給カセットの配置を定めるカセット位置決め部とを含む、供給装置。
【請求項２】
前記案内部は、前記供給装置に対向して設けられている開閉扉の、前記案内部に対する配置を定める扉位置決め部を、前記案内部の一部分としてさらに含む、請求項１に記載の供給装置。
【請求項３】
前記開閉扉には、既に片面に印刷された記録媒体を前記斜行補正部に搬送する両面搬送部が設けられている、請求項２に記載の供給装置。
【請求項４】
前記開閉扉には、既に片面に印刷された記録媒体を前記斜行補正部に搬送する両面搬送部が設けられ、
前記案内部は、前記案内部の一部分として、前記案内部に対する前記両面搬送部の配置を定める両面搬送位置決め部をさらに含む、請求項２に記載の供給装置。
【請求項５】
前記開閉扉には、外部から記録媒体を供給する手差し供給部が設けられている、請求項２から請求項４のいずれか１項に記載の供給装置。
【請求項６】
前記開閉扉には、外部から記録媒体を供給する手差し供給部が設けられ、
前記案内部は、前記案内部の一部分として、前記案内部に対する前記手差し供給部の配置を定める手差し供給位置決め部をさらに含む、請求項２から請求項４のいずれか１項に記載の供給装置。
【請求項７】
前記案内部は、前記案内部の一部分として、前記供給ローラーおよび前記回転軸の少なくとも一方の駆動力が伝達されるギアが取り付けられるギヤ回転軸をさらに含み、
前記ギヤ回転軸は、前記軸方向に延びている、請求項１から請求項６のいずれか１項に記載の供給装置。
【請求項８】
請求項１から請求項７のいずれか１項に記載された供給装置と、
前記斜行補正部により斜行が補正された記録媒体に対して画像を形成する画像形成部とを備える、画像形成装置。
【発明の詳細な説明】
【技術分野】
【０００１】
本発明は、供給装置および画像形成装置に関する。
【背景技術】
【０００２】
従来の画像形成装置に関して、特開平４−２６９７６７号公報には、用紙への印字位置、複写位置などの画像形成位置の精度を保ち、良好な品質を得られる画像形成装置が開示されている（特許文献１）。
【先行技術文献】
【特許文献】
【０００３】
【特許文献１】特開平４−２６９７６７号公報
【発明の概要】
【発明が解決しようとする課題】
【０００４】
上記特許文献１に開示されるように、用紙への印字位置、複写位置などの画像形成位置の精度が求められている。搬送される用紙の傾きを補正する機構として、ローラーレジスト方式とゲートレジスト方式とがある。ローラーレジスト方式では、停止したローラー対のニップ部に用紙先端を突き当てループを形成して、さらに用紙を送り込むことで用紙先端をニップ部に倣わせて補正を行う。
【０００５】
これに対し、ゲートレジスト方式では、用紙先端を、退避可能な突き当て部材に倣わせ、さらに用紙を押し込むことによって、突き当て部材を退避させる。これにより、用紙を突き当て部材に対して下流へ搬送する。一般的に、ゲートレジスト方式はローラーレジスト方式より安価である。一方で、ゲートレジスト方式は、ゲート手前での斜行量（用紙の搬送方向に対する用紙の傾きの大きさ）が大きい場合の補正能力においてローラーレジスト方式に対して劣る場合が多い。そのため、ゲートレジスト方式において、ゲートに対して用紙搬送方向の上流側の用紙搬送精度を向上させることが求められている。
【０００６】
本開示では、記録媒体の搬送精度を向上できる供給装置および画像形成装置が提供される。
【課題を解決するための手段】
【０００７】
本開示に係る供給装置は、供給部と、斜行補正部と、案内部とを備えている。供給部は、供給カセットに収容されている記録媒体を搬送する。斜行補正部は、上記供給部に対して上記記録媒体の搬送方向の下流側に設けられている。上記供給部は、上記記録媒体を搬送する供給ローラーを含んでいる。上記斜行補正部は、ゲート部を含んでいる。ゲート部は、上記供給ローラーの軸方向に延びる回転軸を中心に回転可能であり、上記記録媒体の、上記搬送方向の下流側の端部が突き当てられて上記記録媒体の斜行を補正する。案内部には、上記供給ローラーと上記回転軸とが取り付けられている。上記案内部は、上記案内部の一部分として、上記供給ローラーを保持する第一軸受け部と、上記回転軸を保持する第二軸受け部と、上記案内部に対する上記供給カセットの配置を定めるカセット位置決め部とを含んでいる。
【０００８】
上記の供給装置によると、斜行補正部に対して普通紙の搬送方向の下流側への搬送精度が向上するため、普通紙へのトナー像の転写位置精度が向上する。したがって、良好な画像品質が得られる。
【０００９】
上記の供給装置において、上記案内部は、上記供給装置に対向して設けられている開閉扉の、上記案内部に対する配置を定める扉位置決め部を、上記案内部の一部分としてさらに含んでいる。これにより、開閉扉に搬送機構を設けた際に、搬送精度が向上する。
【００１０】
上記の供給装置において、上記開閉扉には、既に片面に印刷された記録媒体を上記斜行補正部に搬送する両面搬送部が設けられている。これにより、両面搬送部から斜行補正部への普通紙の搬送精度が向上する。
【００１１】
上記の供給装置において、上記開閉扉には、既に片面に印刷された記録媒体を上記斜行補正部に搬送する両面搬送部が設けられている。上記案内部は、上記案内部の一部分として、上記案内部に対する上記両面搬送部の配置を定める両面搬送位置決め部をさらに含んでいる。これにより、両面搬送部から斜行補正部への普通紙の搬送精度がより向上する。
【００１２】
上記の供給装置において、上記開閉扉には、外部から記録媒体を供給する手差し供給部が設けられている。これにより、手差し供給部から斜行補正部への普通紙の搬送精度が向上する。
【００１３】
上記の供給装置において、上記開閉扉には、外部から記録媒体を供給する手差し供給部が設けられている。上記案内部は、上記案内部の一部分として、上記案内部に対する上記手差し供給部の配置を定める手差し供給位置決め部をさらに含んでいる。これにより、手差し供給部から斜行補正部への普通紙の搬送精度がより向上する。
【００１４】
上記の供給装置において、上記案内部は、上記案内部の一部分として、上記供給ローラーおよび上記回転軸の少なくとも一方の駆動力が伝達されるギアが取り付けられるギヤ回転軸をさらに含んでいる。上記ギヤ回転軸は、上記軸方向に延びている。これにより、レジストローラーギヤ、および供給ローラーの駆動力をギヤ回転軸に取付けられるギヤに精度よく伝達することができる。
【００１５】
本発明に係る画像形成装置は、上記のいずれかの局面の供給装置と、上記斜行補正部により斜行が補正された記録媒体に対して画像を形成する画像形成部とを備えている。これにより、安価な画像形成装置を実現できる。
【発明の効果】
【００１６】
本開示に従えば、記録媒体の搬送精度を向上できる供給装置および画像形成装置を実現することができる。
【図面の簡単な説明】
【００１７】
【図１】実施の形態１の画像形成装置の概略図である。
【図２】実施の形態１の供給装置周辺の断面図である。
【図３】供給ローラーおよびレジストローラーを取り付ける前の案内部の斜視図である。
【図４】筐体の側面側を示す概略図である。
【図５】図３に示す案内部をＶ方向から見た際の斜視図である。
【図６】実施の形態２の供給装置の斜視図である。
【図７】図６のＶＩＩ方向から見た際の概略斜視図である。
【図８】図７の供給装置からギヤを外した際の斜視図である。
【発明を実施するための形態】
【００１８】
以下、図面に基づいて、各実施の形態における供給装置および画像形成装置について説明する。以下に示す実施の形態において、同一または実質的に同一の構成については、同一の符号を付して、重複した説明は繰り返さない。以下で説明される実施の形態の各構成は、適宜選択的に組み合わされてもよい。
【００１９】
［実施の形態１］
（画像形成装置２００）
図１は、実施の形態１の画像形成装置２００の概略図である。図１を参照して、実施の形態１の画像形成装置２００について説明する。
【００２０】
図１には、カラープリンタとしての画像形成装置２００が示されている。以下では、カラープリンタとしての画像形成装置２００について説明するが、画像形成装置２００は、カラープリンタに限定されない。たとえば、画像形成装置２００は、モノクロプリンタであってもよいし、ファックスであってもよいし、モノクロプリンタ、カラープリンタおよびファックスの複合機（ＭＦＰ：Multi−Functional  Peripheral）であってもよい。
【００２１】
画像形成装置２００は、画像形成ユニット１Ｙ，１Ｍ，１Ｃ，１Ｋと、トナーボトル１５Ｙ，１５Ｍ，１５Ｃ，１５Ｋと、中間転写ベルト３０と、一次転写ローラー３１と、二次転写ローラー３３と、従動ローラー３８と、駆動ローラー３９と、タイミングローラー４０と、筐体８０と、定着装置５０と、制御装置２とを備えている。
【００２２】
筐体８０は、画像形成装置２００の外殻を規定する。筐体８０は、内部に、画像形成ユニット１Ｙ，１Ｍ，１Ｃ，１Ｋと、中間転写ベルト３０と、一次転写ローラー３１と、二次転写ローラー３３と、従動ローラー３８と、駆動ローラー３９と、タイミングローラー４０と、定着装置５０と、供給カセット１０１と、制御装置２とを収容している。
【００２３】
画像形成ユニット１Ｙ，１Ｍ，１Ｃ，１Ｋと、中間転写ベルト３０と、一次転写ローラー３１と、二次転写ローラー３３と、従動ローラー３８と、駆動ローラー３９と、タイミングローラー４０と、によって画像形成部が構成される。画像形成部は、供給カセット１０１から供給され後述する斜行補正部７０により斜行が補正された記録媒体に対して画像を形成する。実施の形態１において、記録媒体は、普通紙Ｓである。
【００２４】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００２５】
画像形成ユニット１Ｙ，１Ｍ，１Ｃ，１Ｋは、それぞれ、中間転写ベルト３０に沿って中間転写ベルト３０の回転方向の順に配置されている。画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００２６】
帯電装置１１は、感光体１０の表面を一様に帯電する。露光装置１２は、制御装置２からの制御信号に応じて感光体１０にレーザー光を照射し、入力された画像パターンに従って感光体１０の表面を露光する。これにより、入力画像に応じた静電潜像が感光体１０上に形成される。
【００２７】
現像装置１３は、現像ローラー１４を含んでいる。現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００２８】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００２９】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００３０】
クリーニング装置１７は、感光体１０に圧接されている。クリーニング装置１７は、トナー像の転写後に感光体１０の表面に残留するトナーを回収する。
【００３１】
画像形成装置２００は、供給カセット１０１と供給装置１００と、をさらに備えている。供給カセット１０１の内部には、普通紙Ｓが収容されている。供給カセット１０１は、設置台１０１ａを含んでいる。設置台１０１ａには、普通紙Ｓが設置されている。供給装置１００は、供給カセット１０１から１枚ずつ、普通紙Ｓを搬送経路４１に沿って二次転写ローラー３３に向かって搬送する。供給装置１００の詳細については後述する。
【００３２】
二次転写ローラー３３は、ローラー形状を有し、回転可能に構成されている。二次転写ローラー３３は、トナー像と反対極性の転写電圧を搬送中の普通紙Ｓに印加する。これにより、トナー像は、中間転写ベルト３０から二次転写ローラー３３に引き付けられ、中間転写ベルト３０上のトナー像が普通紙Ｓに転写される。
【００３３】
タイミングローラー４０は、中間転写ベルト３０上のトナー像の位置に合わせて、二次転写ローラー３３への普通紙Ｓの搬送タイミングを調整する。これにより、中間転写ベルト３０上のトナー像は、普通紙Ｓの適切な位置に転写される。トナー像が普通紙Ｓに転写された後、普通紙Ｓは、定着装置５０へ搬送される。
【００３４】
定着装置５０は、普通紙Ｓを加圧および加熱する。定着装置５０は、搬送経路４１に沿って搬送される普通紙Ｓ上のトナー像を定着する。トナー像が定着された普通紙Ｓは、トレー４８に排紙される。
【００３５】
画像形成装置２００は、両面搬送部２２と、手差し供給部２３とをさらに備えている。両面搬送部２２は、既に片面に印刷（トナー像が定着）された普通紙Ｓを、反転経路４２を通じて、供給装置１００まで搬送する。
【００３６】
手差し供給部２３は、筐体８０の外部から、記録媒体を供給装置１００に供給する。手差し供給部２３は、手差し部２３ａを含んでいる。手差し部２３ａは、筐体８０の外部に設けられている。厚紙および葉書等の記録媒体が、手差し部２３ａから供給装置１００に供給される。手差し供給部２３から供給された記録媒体は、手差し経路４３を通って供給装置１００に供給される。
【００３７】
（供給装置１００）
図２は、実施の形態１の供給装置１００周辺の断面図である。供給装置１００は、供給部６０と、斜行補正部７０と、案内部９０とを含んでいる。供給部６０は、供給カセット１０１に収容されている普通紙Ｓを斜行補正部７０に向けて搬送する。
【００３８】
供給部６０は、供給ローラー６１、および案内ローラー対６４を含んでいる。供給カセット１０１の設置台１０１ａは、普通紙Ｓが斜行補正部７０に搬送される際に傾く。供給ローラー６１は、図示しない駆動機構によって駆動力を伝達されることにより回転する。供給ローラー６１は、普通紙Ｓを設置台１０１ａとの間に挟みながら斜行補正部７０に向かって搬送する。普通紙Ｓは、案内ローラー対６４の間を通って、搬送経路６３に沿って斜行補正部７０まで搬送される。
【００３９】
斜行補正部７０は、供給部６０に対して、搬送経路６３を通る普通紙Ｓの搬送方向（以下、普通紙Ｓの搬送方向）の下流側に設けられている。斜行補正部７０は、供給部６０より搬送される普通紙Ｓの搬送方向に対する傾きを補正する。傾きが補正された普通紙Ｓは、斜行補正部７０に対して、普通紙Ｓの搬送方向の下流側に設けられているタイミングローラー４０に搬送される。
【００４０】
斜行補正部７０は、樹脂製のゲート部７１、レジストローラー７２、および対向ローラー７４を含んでいる。対向ローラー７４は、レジストローラー７２に対向している。対向ローラー７４は、レジストローラー７２よりも小さい外径を有している。
【００４１】
レジストローラー７２は、回転軸７２ｂおよび外周部７２ａを有している。回転軸７２ｂは、図示しない駆動機構により回転される。回転軸７２ｂは、後述する供給ローラー６１の軸方向ＤＲ１に延びている。回転軸７２ｂは、外周部７２ａに挿通されている。外周部７２ａは、レジストローラー７２の外周を構成している。回転軸７２ｂおよび外周部７２ａは、一体に設けられている。回転軸７２ｂが回転することに伴って、外周部７２ａは回転軸７２ｂを中心軸として回転する。回転軸７２ｂには、外周部７２ａに加えて、ゲート部７１が設けられている。
【００４２】
ゲート部７１には、回転軸７２ｂが挿通している。ゲート部７１は、回転軸７２ｂを中心軸として回転可能である。ゲート部７１には、普通紙Ｓの搬送方向の下流側における、普通紙Ｓの端部が突き当てられる。これにより、普通紙Ｓの搬送方向に対する傾きが補正される。ゲート部７１および外周部７２ａは、回転軸７２ｂを中心軸として回転する。ゲート部７１および外周部７２ａは、同軸で回転する。
【００４３】
手差し供給部２３は、手差し供給ローラー２３ｂをさらに含んでいる。手差し供給ローラー２３ｂは、手差し部２３ａにセットされた厚紙や葉書等の記録媒体を、斜行補正部７０に向かって搬送する。手差し供給部２３は、供給部６０に代わって、記録媒体を斜行補正部７０に搬送する。手差し供給部２３を設けることにより、種々の記録媒体に対して、印刷することができるようになる。
【００４４】
両面搬送部２２は、両面搬送ローラー（図示しない）を有している。両面搬送ローラーは、既に片面に印刷された記録媒体を、反転経路４２に沿って斜行補正部７０に搬送する。これにより、記録媒体に両面印刷することができる。
【００４５】
案内部９０には、供給ローラー６１とレジストローラー７２（回転軸７２ｂ）とが取り付けられている。案内部９０は、普通紙Ｓを搬送するにあたって、ガイド機能を果たしている。案内部９０と他部品とによって、搬送経路６３が形成されている。
【００４６】
図３は、供給ローラー６１およびレジストローラー７２を取り付ける前の案内部９０の斜視図である。案内部９０は、案内部９０の一部分として、第一軸受け部９１と、第二軸受け部９２と、カセット位置決め部９３とを含んでいる。第一軸受け部９１と、第二軸受け部９２と、カセット位置決め部９３とは、案内部９０から取り外し不能である。第一軸受け部９１と、第二軸受け部９２と、カセット位置決め部９３とは、一部品で構成されている。
【００４７】
図中に両矢印で示された斜め方向ＤＲ１は、供給ローラー６１の軸方向である。軸方向ＤＲ１は、供給カセット１０１を出し入れする方向である。
【００４８】
第一軸受け部９１は、前軸受け部９１ａおよび後軸受け部９１ｂを有している。前軸受け部９１ａおよび後軸受け部９１ｂは、軸方向ＤＲ１に並んで設けられている。前軸受け部９１ａには、貫通部９１ｃが形成されている。後軸受け部９１ｂには、貫通孔９１ｄが形成されている。貫通部９１ｃおよび貫通孔９１ｄは、ほぼ一直線上に設けられている。供給ローラー６１の軸が、貫通部９１ｃおよび貫通孔９１ｄに挿通されることにより、供給ローラー６１が保持される。
【００４９】
第二軸受け部９２には、貫通孔９２ａが形成されている。回転軸７２ｂが貫通孔９２ａに挿通されることにより、レジストローラー７２（回転軸７２ｂ）が保持される。
【００５０】
カセット位置決め部９３は、案内部９０に対する供給カセット１０１の配置を定めている。カセット位置決め部９３は、前位置決め部９３ａおよび後位置決め部９３ｂを有している。前位置決め部９３ａには挿通部９３ｃが形成されている。後位置決め部９３ｂには挿通孔９３ｄが形成されている。供給カセット１０１に設けられている位置決め棒が挿通部９３ｃおよび挿通孔９３ｄに挿入されることにより、供給カセット１０１が案内部９０に対して位置決めされる。
【００５１】
図４は、筐体８０の側面側を示す概略図である。画像形成装置２００は、開閉扉２１をさらに備えている。開閉扉２１は、ヒンジ部２１ｃを中心に回転可能な構成となっている。筐体８０の側面には開口部８０ａが形成されている。開閉扉２１が閉じている時、開口部８０ａは開閉扉２１により塞がれている。開閉扉２１は、開閉扉２１が閉じた状態において、供給装置１００に対向して設けられている。開閉扉２１が開いている時、開口部８０ａは開放される。開閉扉２１を開くことにより、筐体８０の外部から内部へアクセス可能となる。
【００５２】
開閉扉２１には、両面搬送部２２が設けられている。両面搬送部２２は、開閉扉２１が閉じた状態において、供給装置１００と対向して設けられている。
【００５３】
開閉扉２１には、手差し供給部２３が設けられている。手差し供給部２３は、開閉扉２１が閉じた状態において、供給装置１００と対向して設けられている。手差し供給部２３は、開閉扉２１が閉じた状態において、筐体８０の内部から外部に亘って設けられている。
【００５４】
開閉扉２１は、前突起部２１ａおよび後突起部２１ｂを有している。前突起部２１ａは、後突起部２１ｂよりもヒンジ部２１ｃから離れて配置されている。前突起部２１ａおよび後突起部２１ｂは、開閉扉２１が閉じた状態において、筐体８０の内部に向かって突出している。
【００５５】
図５は、図３に示す案内部９０をＶ方向から見た際の斜視図である。案内部９０は、案内部９０の一部分として、扉位置決め部９４をさらに含んでいる。扉位置決め部９４は、案内部９０に対する開閉扉２１の配置を定める。扉位置決め部９４は、案内部９０から取り外し不能である。第一軸受け部９１と、第二軸受け部９２と、カセット位置決め部９３と、扉位置決め部９４とは、一部品で構成されている。
【００５６】
扉位置決め部９４は、前決め部９４ａおよび後決め部９４ｂを有している。前決め部９４ａには、中空部９４ｃが形成されている。後決め部９４ｂには、中空部９４ｄが形成されている。開閉扉２１が閉じている状態において、図４に示す前突起部２１ａは中空部９４ｃに挿入されている。後突起部２１ｂは、中空部９４ｄに挿入されている。これにより、開閉扉２１は、案内部９０に対して位置決めされる。
【００５７】
（作用効果）
図３に示すように、第一軸受け部９１と、第二軸受け部９２と、カセット位置決め部９３とが、一部品として構成されている。第一軸受け部９１およびカセット位置決め部９３を一部品で構成することにより、案内部９０の部品寸法累積公差を抑制することができる。そのため、供給ローラー６１に対する設置台１０１ａ上の普通紙Ｓの位置精度が向上する。供給ローラー６１に対する設置台１０１ａ上の普通紙Ｓの位置精度が高い時、普通紙Ｓの搬送方向および供給ローラー６１の軸方向は、ほぼ直交する。これにより、普通紙Ｓの搬送方向に対する普通紙Ｓの傾きを抑制することができる。したがって、普通紙Ｓを供給部６０から斜行補正部７０へ搬送する際の搬送精度が向上する。
【００５８】
第一軸受け部９１および第二軸受け部９２を一部品で構成することにより、案内部９０の部品寸法累積公差を抑制することができる。そのため、ゲート部７１（回転軸７２ｂ）に対する供給ローラー６１の位置精度が向上する。回転軸７２ｂに対する供給ローラー６１の位置精度が高い時、供給ローラー６１の軸方向および回転軸７２ｂの軸方向は、ほぼ平行となる。これにより、ゲート部７１手前における普通紙Ｓの搬送方向に対する普通紙Ｓの傾きを抑制することができる。したがって、ゲートレジスト方式である斜行補正部７０による斜行補正機能を確実に発揮することができる。
【００５９】
以上のように、第一軸受け部９１、第二軸受け部９２、およびカセット位置決め部９３を一部品で構成することにより、案内部９０の部品寸法累積公差を抑制することができる。これにより、斜行補正部７０に対して普通紙Ｓの搬送方向の下流側への搬送精度が向上するため、普通紙Ｓへのトナー像の転写位置精度が向上する。したがって、良好な画像品質が得られる。
【００６０】
さらに、安価なゲートレジスト方式による斜行補正部７０であっても、斜行補正部７０に対する普通紙Ｓの搬送方向の下流側への搬送精度を確保することができる。これにより、供給装置１００の製造コストを抑制することができる。
【００６１】
図４に示すように、案内部９０は、案内部９０に対する開閉扉２１の配置を定める扉位置決め部９４を有している。これにより、案内部９０に対する開閉扉２１の位置精度が向上する。したがって、開閉扉２１に搬送機構を設けた際に、搬送精度が向上する。
【００６２】
開閉扉２１には、両面搬送部２２が設けられている。案内部９０に対する開閉扉２１の位置精度が向上していることにより、案内部９０に対する両面搬送部２２の位置精度も向上する。これにより、案内部９０に取付けられる回転軸７２ｂに対する、両面搬送部２２が有する両面搬送ローラー（図示しない）の位置精度が向上する。回転軸７２ｂに対する両面搬送ローラーの位置精度が高い時、回転軸７２ｂの軸方向および両面搬送ローラーの軸方向は、ほぼ平行となる。したがって、両面搬送部２２から斜行補正部７０への普通紙Ｓの搬送精度が向上する。
【００６３】
案内部９０は、案内部９０の一部分として、案内部９０に対する両面搬送部２２の配置を定める両面搬送位置決め部をさらに含んでいてもよい。両面搬送位置決め部が設けられることにより、案内部９０に対する両面搬送部２２の位置精度がより向上する。これにより、両面搬送部２２から斜行補正部７０への普通紙Ｓの搬送精度がより向上する。
【００６４】
開閉扉２１には、手差し供給部２３が設けられている。案内部９０に対する開閉扉２１の位置精度が向上していることにより、案内部９０に対する手差し供給部２３の位置精度も向上する。これにより、案内部９０に取付けられる回転軸７２ｂに対する、手差し供給ローラー２３ｂの位置精度が向上する。回転軸７２ｂに対する手差し供給ローラー２３ｂの位置精度が高い時、回転軸７２ｂの軸方向および手差し供給ローラー２３ｂの軸方向は、ほぼ平行となる。したがって、手差し供給部２３から斜行補正部７０への普通紙Ｓの搬送精度が向上する。
【００６５】
案内部９０は、案内部９０の一部分として、案内部９０に対する手差し供給部２３の配置を定める手差し供給位置決め部をさらに含んでいてもよい。手差し供給位置決め部が設けられることにより、案内部９０に対する手差し供給部２３の位置精度がより向上する。これにより、手差し供給部２３から斜行補正部７０への普通紙Ｓの搬送精度がより向上する。
【００６６】
図１に示すように、画像形成装置２００は、供給装置１００と、斜行補正部７０に対して搬送方向の下流側に設けられている定着装置５０とを備えている。画像形成装置２００は、ゲート部７１手前における普通紙Ｓの搬送方向に対する普通紙Ｓの傾きを抑制することができる供給装置１００を備えている。これにより、安価なゲートレジスト方式による斜行補正部７０であっても、斜行補正部７０に対する普通紙Ｓの搬送方向の下流側への搬送精度を確保することができる。したがって、安価な画像形成装置２００を実現できる。
【００６７】
［実施の形態２］
図６は、実施の形態２の供給装置１００の斜視図である。図７は、図６のＶＩＩ方向から見た際の概略斜視図である。図８は、図７の供給装置１００からギヤ２０を外した際の斜視図である。図６から図８を参照して、実施の形態２の供給装置１００について説明する。
【００６８】
実施の形態２の供給装置１００は、レジストローラーギヤ７３、供給ローラーギヤ６２、およびギヤ２０をさらに含んでいる。レジストローラーギヤ７３は、回転軸７２ｂの軸方向ＤＲ１における端部に設けられている。軸方向ＤＲ１において、回転軸７２ｂには、外周部７２ａおよびゲート部７１が交互に並んで設けられている。レジストローラーギヤ７３は、回転軸７２ｂから伝達される駆動力をギヤ２０に伝達する。
【００６９】
ギヤ２０は、両面搬送ドッキングギヤ２０ａおよびアイドルギヤ２０ｂを有している。レジストローラーギヤ７３（回転軸７２ｂ）の駆動力は、アイドルギヤ２０ｂを介して、両面搬送ドッキングギヤ２０ａに伝達される。両面搬送ドッキングギヤ２０ａは、両面搬送部２２に設けられるギヤと噛合う。これにより、レジストローラーギヤ７３の駆動力が両面搬送部２２に伝達される。
【００７０】
供給ローラーギヤ６２は、供給ローラー６１の軸方向ＤＲ１における端部に設けられている。ギヤ２０は、駆動ギヤ２０ｃ、アイドルギヤ２０ｄ、およびアイドルギヤ２０ｅをさらに有している。供給ローラーギヤ６２の駆動力は、アイドルギヤ２０ｄおよびアイドルギヤ２０ｅを介して、駆動ギヤ２０ｃに伝達される。駆動ギヤ２０ｃは、駆動機構に設けられるギヤと噛合う。これにより、供給ローラーギヤ６２の駆動力が駆動機構に伝達される。
【００７１】
案内部９０は、案内部９０の一部分として、ギヤ回転軸９７をさらに有している。ギヤ回転軸９７は、円筒状の形状を有している。案内部９０は、側面部９８を有している。ギヤ回転軸９７は、側面部９８から突出している。ギヤ回転軸９７は、側面部９８から取り外し不能である。
【００７２】
ギヤ回転軸９７は、ドッキングギヤ回転軸９７ａ、アイドルギヤ回転軸９７ｂ、駆動ギヤ回転軸９７ｃ、アイドルギヤ回転軸９７ｄ、およびアイドルギヤ回転軸９７ｅを有している。ドッキングギヤ回転軸９７ａ、アイドルギヤ回転軸９７ｂ、駆動ギヤ回転軸９７ｃ、アイドルギヤ回転軸９７ｄ、およびアイドルギヤ回転軸９７ｅは、それぞれ軸方向ＤＲ１に延びている。ドッキングギヤ回転軸９７ａ、アイドルギヤ回転軸９７ｂ、駆動ギヤ回転軸９７ｃ、アイドルギヤ回転軸９７ｄ、およびアイドルギヤ回転軸９７ｅには、それぞれ両面搬送ドッキングギヤ２０ａ、アイドルギヤ２０ｂ駆動ギヤ２０ｃ、アイドルギヤ２０ｄ、およびアイドルギヤ２０ｅが嵌め込まれる。
【００７３】
（作用効果）
図８に示すように、案内部９０は、案内部９０の一部分として、供給ローラー６１および回転軸７２ｂの少なくとも一方の駆動力が伝達されるギヤ２０が取り付けられるギヤ回転軸９７をさらに含んでいる。ギヤ回転軸９７、供給ローラー６１、および回転軸７２ｂは、軸方向ＤＲ１に延びている。ギヤ回転軸９７の軸方向、供給ローラー６１の軸方向、および回転軸７２ｂの軸方向は、ほぼ平行である。これにより、回転軸７２ｂの端部に設けられているレジストローラーギヤ７３、および供給ローラー６１の駆動力をギヤ回転軸９７に取付けられるギヤ２０に精度よく伝達することができる。さらに、ギヤ回転軸９７を案内部９０の一部分として構成することにより、供給装置１００の製造コストを抑制することができる。
【００７４】
なお、実施の形態において、印刷方式としてタンデム方式を採用している画像形成装置２００について説明したが、画像形成装置２００の印刷方式は、タンデム方式に限定されない。画像形成装置２００内における各構成の配置は、採用される印刷方式に従って適宜変更され得る。画像形成装置２００の印刷方式として、ロータリー方式や直接転写方式が採用されてもよい。ロータリー方式の場合、画像形成装置２００は、１つの感光体１０と、同軸上で回転可能に構成される複数の現像装置１３で構成される。画像形成装置２００は、印刷時には、各現像装置１３を感光体１０に順に導き、各色のトナー像を現像する。直接転写方式の場合、画像形成装置２００は、感光体１０上に形成されたトナー像が普通紙Ｓに直接転写される。
【００７５】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００７６】
２０  ギヤ、２０ａ  両面搬送ドッキングギヤ、２０ｂ，２０ｄ，２０ｅ  アイドルギヤ、２０ｃ  駆動ギヤ、２１  開閉扉、２１ａ  前突起部、２１ｂ  後突起部、２１ｃ  ヒンジ部、２２  両面搬送部、２３  手差し供給部、２３ａ  手差し部、２３ｂ  手差し供給ローラー、４１，６３  搬送経路、４２  反転経路、４３  手差し経路、４８  トレー、５０  定着装置、６０  供給部、６１  供給ローラー、６２  供給ローラーギヤ、６４  案内ローラー対、７０  斜行補正部、７１  ゲート部、７２  レジストローラー、７２ａ  外周部、７２ｂ  回転軸、７３  レジストローラーギヤ、７４  対向ローラー、８０  筐体、８０ａ  開口部、９０  案内部、９１ｃ  貫通部、９１ｄ，９２ａ  貫通孔、９３  カセット位置決め部、９３ａ  前位置決め部、９３ｂ  後位置決め部、９３ｃ  挿通部、９３ｄ  挿通孔、９４  扉位置決め部、９４ａ  前決め部、９４ｂ  後決め部、９４ｃ，９４ｄ  中空部、９７  ギヤ回転軸、９７ａ  ドッキングギヤ回転軸、９７ｂ，９７ｄ，９７ｅ  アイドルギヤ回転軸、９７ｃ  駆動ギヤ回転軸、９８  側面部、１００  供給装置、１０１  供給カセット、１０１ａ  設置台、２００  画像形成装置、ＤＲ１  軸方向、Ｓ  普通紙。
【図１】
2019099364.tif 000003
【図２】
2019099364.tif 000004
【図３】
2019099364.tif 000005
【図４】
2019099364.tif 000006
【図５】
2019099364.tif 000007
【図６】
2019099364.tif 000008
【図７】
2019099364.tif 000009
【図８】
2019099364.tif 000010